(57)【要約】【課題】  電源回路においてスイッチングレギュレータを使用しつつインダクタンス素子における異音の発生を抑制する。【解決手段】  電源回路２は、可聴帯域信号生成部１に定電圧の所定の出力電圧で電源電力を供給する。電源回路２において、スイッチングレギュレータ１１，１４は、スイッチング素子によるスイッチング電流を流すインダクタンス素子をそれぞれ有する。電流制限回路１２，１５は、スイッチングレギュレータ１１，１４の出力電流を所定値以下にそれぞれ制限する。キャパシタＣｐ，Ｃｎは、電流制限回路１２，１５により制限された出力電流により電荷を蓄える。リニアレギュレータ１３，１６は、キャパシタＣｐ，Ｃｎの両端電圧を入力電圧とし、当該電源回路２の所定の出力電圧をそれぞれ生成する。【選択図】  図１
2018125928.tif 000002
【特許請求の範囲】
【請求項１】
可聴帯域の音を生成するための可聴帯域信号を生成する可聴帯域信号生成部と、
前記可聴帯域信号生成部に定電圧の所定の出力電圧で電源電力を供給する電源回路とを備え、
前記電源回路は、
スイッチング素子によるスイッチング電流を流すインダクタンス素子を有するスイッチングレギュレータと、
前記スイッチングレギュレータの出力電流を所定値以下に制限する電流制限回路と、
前記電流制限回路により制限された前記出力電流により電荷を蓄えるキャパシタと、
前記キャパシタの両端電圧を入力電圧とし前記所定の出力電圧を生成するリニアレギュレータとを備えること、
を特徴とする可聴帯域信号生成装置。
【請求項２】
前記電源回路は、前記可聴帯域信号生成部に定電圧かつ正電圧の出力電圧で正電圧側電源電力を供給するとともに、定電圧かつ負電圧の出力電圧で負電圧側電源電力を供給し、
前記スイッチングレギュレータは、グランドレベルに対して正電圧の出力電圧を生成する正電圧スイッチングレギュレータであり、
前記電流制限回路は、前記正電圧スイッチングレギュレータの出力電流を所定値以下に制限し、
前記リニアレギュレータは、前記キャパシタの両端電圧を入力電圧とし、当該電源回路の正電圧の所定の出力電圧を生成し、
前記電源回路は、さらに、
スイッチング素子によるスイッチング電流を流すインダクタンス素子を有し前記グランドレベルに対して負電圧の出力電圧を生成する負電圧スイッチングレギュレータと、
前記負電圧スイッチングレギュレータの出力電流を所定値以下に制限する負電圧側電流制限回路と、
前記負電圧側電流制限回路により制限された前記出力電流が流入する負電圧側キャパシタと、
前記負電圧側キャパシタの両端電圧を入力電圧とし当該電源回路の負電圧の所定の出力電圧を生成する負電圧側リニアレギュレータとを備えること、
を特徴とする請求項１記載の可聴帯域信号生成装置。
【請求項３】
聴力検査音を生成するための可聴帯域信号を生成する可聴帯域信号生成部と、
前記可聴帯域信号生成部に定電圧の所定の出力電圧で電源電力を供給する電源回路とを備え、
前記電源回路は、
スイッチング素子によるスイッチング電流を流すインダクタンス素子を有するスイッチングレギュレータと、
前記スイッチングレギュレータの出力電流を所定値以下に制限する電流制限回路と、
前記電流制限回路により制限された前記出力電流により電荷を蓄えるキャパシタと、
前記キャパシタの両端電圧を入力電圧とし前記所定の出力電圧を生成するリニアレギュレータとを備えること、
を特徴とするオージオメータ。
【発明の詳細な説明】
【技術分野】
【０００１】
本発明は、可聴帯域信号生成装置およびオージオメータに関するものである。
【背景技術】
【０００２】
オージオメータ、オーディオプレーヤなどの可聴帯域信号生成装置は、聴取者に対して音を発するための可聴帯域信号を生成している。
【０００３】
オージオメータは、例えば純音閾値検査で、人間の聴力を検査する医用検査機器である。純音閾値検査では、被験者に気導受話器や骨導受話器あるいはスピーカを介して純音を聞かせ、被験者の最小可聴値を被験者の応答に基づいて測定する。オージオメータによる検査では正確な測定のために周辺環境の静音性が要求される。
【０００４】
オーディオプレーヤは、楽曲などの音源のオーディオ信号を増幅し、増幅したオーディオ信号をスピーカなどへ出力している。オーディオプレーヤで楽曲などを再生する場合、聴取者が楽曲などを楽しむために、周辺環境音が小さいことが望ましい。
【０００５】
他方、電子機器の定電圧電源回路としてはリニアレギュレータまたはスイッチングレギュレータ（例えば特許文献１参照）が使用され、一般的に、このような可聴帯域信号生成装置の電源回路にはリニアレギュレータが使用されることが多い。
【先行技術文献】
【特許文献】
【０００６】
【特許文献１】特開２０１１−１７２３８９号公報
【発明の概要】
【発明が解決しようとする課題】
【０００７】
国際的に電圧や周波数の異なる商用電源への対応、小型軽量化、高効率化などの観点から、このような可聴帯域信号生成装置の電源回路にも、スイッチングレギュレータを利用したいという要望がある。しかしながら、一般的に、スイッチングレギュレータでは、動作時に異音が発生することがあり、そのような異音は、オージオメータでの検査、オーディオプレーヤでの楽曲聴取などの妨げとなる可能性がある。
【０００８】
図３は、従来の可聴帯域信号生成装置の一例を示すブロック図である。
【０００９】
図３に示す可聴帯域信号生成装置は、可聴帯域信号生成部１０１および電源回路１０２を備える。可聴帯域信号生成部１０１は、可聴帯域信号を生成し出力する回路などである。電源回路１０２は、正電圧スイッチングレギュレータ１１１および負電圧スイッチングレギュレータ１１２を備え、可聴帯域信号生成部１０１へ、一定の出力電圧＋Ｖｏｕｔ，−Ｖｏｕｔで電源電力を供給する。
【００１０】
正電圧スイッチングレギュレータ１１１は、トランジスタなどのスイッチング素子Ｑ１１１，Ｑ１１２のスイッチング電流ＩＬを、インダクタＬ１１１を介して出力し、出力端に対して並列にキャパシタＣ１１１を配置し、さらに、制御回路１２１で、出力電圧＋Ｖｏｕｔが所定値となるようにスイッチング素子Ｑ１１１，Ｑ１１２を制御している。
【００１１】
負電圧スイッチングレギュレータ１１２は、トランジスタなどのスイッチング素子Ｑ１２１，Ｑ１２２のスイッチング電流ＩＬを、インダクタＬ１２１を介して流入させ、出力端に対して並列にキャパシタＣ１２１を配置し、さらに、制御回路１３１で、出力電圧−Ｖｏｕｔが所定値となるようにスイッチング素子Ｑ１２１，Ｑ１２２を制御している。
【００１２】
図４は、図３における正電圧スイッチングレギュレータ１１１の平均スイッチング電流ＩＬａｖの一例を示す図である。なお、平均スイッチング電流ＩＬａｖは、スイッチング電流ＩＬにおけるスイッチング周波数付近のリップル成分を除去したものである。
【００１３】
図３に示す可聴帯域信号生成装置において、可聴帯域信号生成部１０１が比較的大音量のための可聴帯域信号を生成し出力する場合、可聴帯域信号の振幅が大きくなり、可聴帯域信号の１周期の中で、電源回路１０２から可聴帯域信号生成部１０１へ供給すべき瞬間的な電力（つまり瞬間的な出力電流）も大きく変化する。そのため、そのような場合に出力段のインダクタＬ１１１，Ｌ１２１に導通するスイッチング電流ＩＬ（ひいては図４に示す平均スイッチング電流ＩＬａｖ）も変動する。
【００１４】
具体的には、可聴帯域信号生成部１０１は、スピーカや受話器をドライブするための電力増幅器を有しており、電力増幅器には、電源効率および高忠実度の要求から、Ｂ級プッシュプル、ＢＴＬ（Bridge Tied Load）など、スピーカや受話器に流す負荷電流に応じて電源電流が大きく変化する回路を採用している。そのような電力増幅器へ供給される電源電流は、可聴帯域の出力音に比例して変化する。上述のように、スイッチングレギュレータでこの電源電流を供給する場合、電源電流の変化に対応して、図４に示すように平均スイッチング電流ＩＬａｖが変化する。
【００１５】
上述の電源電流のような可聴帯域の負荷電流に応じて、インダクタＬ１１１，Ｌ１２１の平均スイッチング電流ＩＬａｖが変動すると、インダクタＬ１１１，Ｌ１２１内の磁束変化を発生させ、インダクタＬ１１１，Ｌ１２１を構成するコイルやコアを振動させるため、異音（うなり音）が発生する。
【００１６】
このような異音は、オージオメータでの検査、オーディオプレーヤでの楽曲聴取などの妨げとなる可能性がある。
【００１７】
本発明は、上記の問題に鑑みてなされたものであり、電源回路においてスイッチングレギュレータを使用しつつインダクタンス素子における異音の発生を抑制する可聴帯域信号生成装置およびオージオメータを得ることを目的とする。
【課題を解決するための手段】
【００１８】
本発明に係る可聴帯域信号生成装置は、可聴帯域の音を出力するための可聴帯域信号を生成する可聴帯域信号生成部と、可聴帯域信号生成部に定電圧の所定の出力電圧で電源電力を供給する電源回路とを備える。電源回路は、スイッチング素子によるスイッチング電流を流すインダクタンス素子を有するスイッチングレギュレータと、スイッチングレギュレータの出力電流を所定値以下に制限する電流制限回路と、電流制限回路により制限された出力電流により電荷を蓄えるキャパシタと、キャパシタの両端電圧を入力電圧とし上述の所定の出力電圧を生成するリニアレギュレータとを備える。
【００１９】
本発明に係るオージオメータは、聴力検査音を出力するための可聴帯域信号を生成する可聴帯域信号生成部と、可聴帯域信号生成部に定電圧の所定の出力電圧で電源電力を供給する電源回路とを備える。電源回路は、スイッチング素子によるスイッチング電流を流すインダクタンス素子を有するスイッチングレギュレータと、スイッチングレギュレータの出力電流を所定値以下に制限する電流制限回路と、電流制限回路により制限された出力電流により電荷を蓄えるキャパシタと、キャパシタの両端電圧を入力電圧とし上述の所定の出力電圧を生成するリニアレギュレータとを備える。
【発明の効果】
【００２０】
本発明によれば、電源回路においてスイッチングレギュレータを使用しつつインダクタンス素子における異音の発生を抑制する可聴帯域信号生成装置およびオージオメータが得られる。
【図面の簡単な説明】
【００２１】
【図１】図１は、本発明の実施の形態に係る可聴帯域信号生成装置の構成を示すブロック図である。
【図２】図２は、図１における正電圧スイッチングレギュレータ１１の平均スイッチング電流ＩＬａｖの一例を示す図である。
【図３】図３は、従来の可聴帯域信号生成装置の一例を示すブロック図である。
【図４】図４は、図３における正電圧スイッチングレギュレータ１１１の平均スイッチング電流ＩＬａｖの一例を示す図である。
【発明を実施するための形態】
【００２２】
以下、図に基づいて本発明の実施の形態を説明する。
【００２３】
図１は、本発明の実施の形態に係る可聴帯域信号生成装置の構成を示すブロック図である。例えば、図１に示す可聴帯域信号生成装置は、オージオメータ、オーディオ機器（例えばオーディオプレーヤまたはオーディオアンプ）などである。
【００２４】
図１に示す可聴帯域信号生成装置は、可聴帯域信号生成部１および電源回路２を備える。
【００２５】
可聴帯域信号生成部１は、可聴帯域の音を出力するための可聴帯域信号を生成し出力する。例えば、図１に示す可聴帯域信号生成装置がオージオメータである場合、可聴帯域信号生成部１は、聴力検査音を出力するための可聴帯域信号を生成し出力する。例えば、図１に示す可聴帯域信号生成装置がオーディオ機器である場合、可聴帯域信号生成部１は、楽曲などのオーディオ信号を生成し出力する。
【００２６】
この実施の形態では、可聴帯域信号生成部１は、プッシュプル（例えばＢ級プッシュプル）などのように正電圧側および負電圧側のそれぞれに対応した回路１ｐ，１ｎを有する電力増幅段を備え、可聴帯域信号生成部１からスピーカなどに出力される可聴帯域信号のレベルが正である期間では、電源回路２の正電圧側電源電力（つまり、出力電圧＋Ｖｏｕｔの電源電力）で可聴帯域信号を生成し、可聴帯域信号のレベルが負である期間では、電源回路２の負電圧側電源電力（つまり、出力電圧−Ｖｏｕｔの電源電力）で可聴帯域信号を生成する。
【００２７】
電源回路２は、可聴帯域信号生成部１に定電圧の出力電圧で電源電力を供給する。電源回路２は、正電圧側において、正電圧スイッチングレギュレータ１１、電流制限回路１２、キャパシタＣｐ、およびリニアレギュレータ１３を備え、負電圧側において、負電圧スイッチングレギュレータ１４、電流制限回路１５、キャパシタＣｎ、およびリニアレギュレータ１６を備える。
【００２８】
正電圧スイッチングレギュレータ１１および負電圧スイッチングレギュレータ１４は、それぞれ、スイッチング素子（Ｑ１１，Ｑ１２），（Ｑ４１，Ｑ４２）によるスイッチング電流ＩＬを導通するインダクタンス素子Ｌ１１，Ｌ４１を有している。
【００２９】
なお、正電圧スイッチングレギュレータ１１および負電圧スイッチングレギュレータ１４に電力を入力する電源＋Ｖｉｎは、商用電源に接続されたＡＣ／ＤＣコンバータなどの出力であり、例えば２４ボルトの直流電源などである。
【００３０】
正電圧スイッチングレギュレータ１１は、グランドレベルＧＮＤに対して定電圧かつ正電圧の出力電圧＋Ｖｓｒを生成する。具体的には、正電圧スイッチングレギュレータ１１は、トランジスタなどのスイッチング素子Ｑ１１，Ｑ１２のスイッチング電流ＩＬを、インダクタンス素子Ｌ１１を介して出力し、出力端に対して並列にキャパシタＣ１１を配置し、さらに、制御回路２１で、出力電圧＋Ｖｓｒが所定値となるようにスイッチング素子Ｑ１１，Ｑ１２を制御している。
【００３１】
また、負電圧スイッチングレギュレータ１４は、グランドレベルＧＮＤに対して定電圧かつ負電圧の出力電圧−Ｖｓｒを生成する。具体的には、負電圧スイッチングレギュレータ１４は、トランジスタなどのスイッチング素子Ｑ４１，Ｑ４２のスイッチング電流ＩＬを、インダクタンス素子Ｌ４１を介して流入させ、出力端に対して並列にキャパシタＣ４１を配置し、さらに、制御回路４１で、出力電圧−Ｖｓｒが所定値となるようにスイッチング素子Ｑ４１，Ｑ４２を制御している。
【００３２】
この実施の形態では、正電圧スイッチングレギュレータ１１および負電圧スイッチングレギュレータ１４は、非絶縁型のスイッチングレギュレータであり、このインダクタンス素子は、コイルおよびコアを有するインダクタである。なお、正電圧スイッチングレギュレータ１１および負電圧スイッチングレギュレータ１４は、別のタイプでもよく、絶縁型のスイッチングレギュレータでもよい。その場合、このインダクタンス素子は、トランスでもよい。また、図１に示す正電圧スイッチングレギュレータ１１および負電圧スイッチングレギュレータ１４は、降圧型のスイッチングレギュレータであるが、昇圧型のスイッチングレギュレータでもよい。
【００３３】
電流制限回路１２は、正電圧スイッチングレギュレータ１１の出力電流を所定値以下に制限する。また、電流制限回路１５は、負電圧スイッチングレギュレータ１４の出力電流を所定値以下に制限する。
【００３４】
具体的には、電流制限回路１２は、キャパシタＣｐの両端電圧が所定値になるまで、正電圧スイッチングレギュレータ１１の一定の出力電流でキャパシタＣｐを充電する。図１に示す電流制限回路１２では、定電流回路Ｉ２１と抵抗Ｒ２１とで基準電圧（一定）が生成され、抵抗Ｒ２２の両端電圧が基準電圧となるように、オペアンプＯＰ２１がトランジスタＱ２１を制御している。したがって、抵抗Ｒ２２の導通電流が一定に制御される。これにより、正電圧スイッチングレギュレータ１１の出力電流も一定に制御される。ただし、キャパシタＣｐの両端電圧が上昇し、抵抗Ｒ２２の両端電圧が減少すると、抵抗Ｒ２２を流れる電流、すなわち、電流制限回路１２の入力電流（つまり、正電圧スイッチングレギュレータ１１の出力電流）は減少する。
【００３５】
また、電流制限回路１５は、キャパシタＣｎの両端電圧が所定値になるまで、負電圧スイッチングレギュレータ１４の一定の出力電流でキャパシタＣｎを充電する。図１に示す電流制限回路１５では、定電流回路Ｉ５１と抵抗Ｒ５１とで基準電圧（一定）が生成され、抵抗Ｒ５２の両端電圧が基準電圧となるように、オペアンプＯＰ５１がトランジスタＱ５１を制御している。したがって、抵抗Ｒ５２の導通電流が一定に制御される。これにより、負電圧スイッチングレギュレータ１４の出力電流も一定に制御される。ただし、キャパシタＣｎの両端電圧が上昇し、抵抗Ｒ５２の両端電圧が減少すると、抵抗Ｒ５２を流れる電流、すなわち、電流制限回路１５の入力電流（つまり、負電圧スイッチングレギュレータ１４の出力電流）は減少する。
【００３６】
なお、図１に示す電流制限回路１２，１５は、一例であって、他の回路構成であってもよい。
【００３７】
例えば、電流制限回路１２，１５により一定に制御される出力電流値は、可聴帯域信号の上限レベルおよび下限周波数（例えば１００ヘルツ）に応じて設定される。つまり、下限周波数で上限レベルの可聴帯域信号の場合、その出力電流値は、その信号の１周期においてキャパシタＣｐ，Ｃｎから流出する電荷を、１周期で少なくともキャパシタＣｐ，Ｃｎへ流入可能な値とされる。上述のように、正電圧と負電圧とで互いに独立して電力が可聴帯域信号生成部１へ供給される場合、出力電流値は、その信号の半周期においてキャパシタＣｐ，Ｃｎから流出する電荷を、１周期で少なくともキャパシタＣｐ，Ｃｎへ流入可能な値とされる。
【００３８】
キャパシタＣｐは、比較的大きい静電容量のキャパシタである。キャパシタＣｐには、電流制限回路１２により制限された正電圧スイッチングレギュレータ１１の出力電流が流入する。キャパシタＣｎは、比較的大容量のキャパシタである。ここでは、キャパシタＣｎは、キャパシタＣｐと同一の静電容量を有する。キャパシタＣｎには、電流制限回路１５により制限された負電圧スイッチングレギュレータ１４の出力電流が流入する。
【００３９】
例えば、キャパシタＣｐ，Ｃｎの静電容量は、可聴帯域信号の上限レベルおよび下限周波数（例えば１００ヘルツ）に応じて設定される。つまり、下限周波数で上限レベルの可聴帯域信号の場合、その信号の半周期でキャパシタＣｐ，Ｃｎから流出する電荷を少なくとも蓄積可能な静電容量とされる。
【００４０】
リニアレギュレータ１３は、降圧レギュレータであり、キャパシタＣｐの両端電圧を入力電圧とし、当該電圧回路２の正電圧側の出力電圧＋Ｖｏｕｔを生成する。リニアレギュレータ１６は、負電圧の降圧レギュレータであり、キャパシタＣｎの両端電圧を入力電圧とし、当該電圧回路２の負電圧側の出力電圧−Ｖｏｕｔを生成する。
【００４１】
図１に示すリニアレギュレータ１３では、定電流回路Ｉ３１と抵抗Ｒ３１とで基準電圧（一定）が生成され、リニアレギュレータ１３の出力電圧が基準電圧となるように、オペアンプＯＰ３１がトランジスタＱ３１を制御している。したがって、リニアレギュレータ１３の出力電圧が一定に制御される。これにより、電源回路２の正電圧側の出力電圧＋Ｖｏｕｔも一定に制御される。
【００４２】
図１に示すリニアレギュレータ１６では、定電流回路Ｉ６１と抵抗Ｒ６１とで基準電圧（一定）が生成され、リニアレギュレータ１６の出力電圧が基準電圧となるように、オペアンプＯＰ６１がトランジスタＱ６１を制御している。したがって、リニアレギュレータ１６の出力電圧が一定に制御される。これにより、電源回路２の負電圧側の出力電圧−Ｖｏｕｔも一定に制御される。
【００４３】
なお、図１に示すリニアレギュレータ１３，１６は、一例であって、他の回路構成であってもよい。
【００４４】
次に、上記可聴帯域信号生成装置の動作について説明する。
【００４５】
図１に示す電源回路２では、正電圧スイッチングレギュレータ１１が、一定の出力電圧＋Ｖｓｒを生成し、電流制限回路１２は、キャパシタＣｐの両端電圧が所定値になるまで、一定の電流でキャパシタＣｐを充電する。
【００４６】
キャパシタＣｐの両端電圧は、キャパシタＣｐに蓄積されている電荷に応じた値となり、キャパシタＣｐへ流入する電流やキャパシタＣｐから流出する電流に応じて変動する。
【００４７】
リニアレギュレータ１３は、キャパシタＣｐの両端電圧を入力電圧として、一定の出力電圧＋Ｖｏｕｔを生成し、負荷に応じた電流を出力する。つまり、リニアレギュレータ１３は、可聴帯域信号生成部１により生成される可聴帯域信号（オージオメータの検査音信号、オーディオ機器のオーディオ信号など）に応じた電流を出力する。その際、リニアレギュレータ１３は、キャパシタＣｐから電流を流出させて可聴帯域信号生成部１へ電流を供給する。
【００４８】
このようにリニアレギュレータ１３の出力電流が変動しても、キャパシタＣｐの両端電圧が変動するだけで、電流制限回路１２によって、正電圧スイッチングレギュレータ１１の平均スイッチング電流ＩＬａｖは、キャパシタＣｐの両端電圧が所定値になるまで変動しない。図２は、図１における正電圧スイッチングレギュレータ１１の平均スイッチング電流ＩＬａｖの一例を示す図である。図２に示すように、図４の場合に比べ、平均スイッチング電流ＩＬａｖの変動が小さくなる。このように平均スイッチング電流ＩＬａｖの変動が小さくなるため、インダクタンス素子Ｌ１１で発生する異音が抑制される。
【００４９】
また、図１に示す電源回路２では、負電圧スイッチングレギュレータ１４が、一定の出力電圧−Ｖｓｒを生成し、電流制限回路１５は、キャパシタＣｎの両端電圧が所定値になるまで、一定の電流でキャパシタＣｎに充電する。
【００５０】
キャパシタＣｎの両端電圧は、キャパシタＣｎに蓄積されている電荷に応じた値となり、キャパシタＣｎへ流入する電流やキャパシタＣｎから流出する電流に応じて変動する。
【００５１】
リニアレギュレータ１６は、キャパシタＣｎの両端電圧を入力電圧として、一定の出力電圧−Ｖｏｕｔを生成し、負荷に応じた電流を出力する。つまり、リニアレギュレータ１６は、可聴帯域信号生成部１により生成される可聴帯域信号（オージオメータの検査音信号、オーディオ機器のオーディオ信号など）に応じた電流を出力する。その際、リニアレギュレータ１６は、キャパシタＣｎから電流を流出させて可聴帯域信号生成部１へ電流を供給する。
【００５２】
このようにリニアレギュレータ１６の出力電流が変動しても、キャパシタＣｎの両端電圧が変動するだけで、電流制限回路１５によって、負電圧スイッチングレギュレータ１４の平均スイッチング電流は、一定値以下に保たれる。このように平均スイッチング電流の変動が小さくなるため、インダクタンス素子Ｌ４１で発生する異音が抑制される。
【００５３】
以上のように、上記実施の形態によれば、電源回路２は、可聴帯域信号生成部１に定電圧の所定の出力電圧で電源電力を供給する。電源回路２において、スイッチングレギュレータ１１，１４は、スイッチング素子によるスイッチング電流ＩＬを導通するインダクタンス素子をそれぞれ有する。電流制限回路１２，１５は、スイッチングレギュレータ１１，１４の出力電流を所定値以下にそれぞれ制限する。キャパシタＣｐ，Ｃｎは、電流制限回路１２，１５により制限された出力電流により電荷を蓄える。リニアレギュレータ１３，１６は、キャパシタＣｐ，Ｃｎの両端電圧を入力電圧とし、当該電源回路２の出力電圧をそれぞれ生成する。
【００５４】
これにより、スイッチングレギュレータ１１，１４内のインダクタンス素子の平均スイッチング電流の変動が抑制され、電源回路２においてスイッチングレギュレータ１１，１４を使用しつつインダクタンス素子における異音の発生が抑制される。
【００５５】
なお、上述の実施の形態に対する様々な変更および修正については、当業者には明らかである。そのような変更および修正は、その主題の趣旨および範囲から離れることなく、かつ、意図された利点を弱めることなく行われてもよい。つまり、そのような変更および修正が請求の範囲に含まれることを意図している。
【産業上の利用可能性】
【００５６】
本発明は、例えば、オージオメータ、オーディオ機器などに適用可能である。
【符号の説明】
【００５７】
１  可聴帯域信号生成部
２  電源回路
１１  正電圧スイッチングレギュレータ（スイッチングレギュレータの一例）
１２  電流制限回路
１３  リニアレギュレータ
１４  負電圧スイッチングレギュレータ（負電圧スイッチングレギュレータの一例）
１５  電流制限回路（負電圧側電流制限回路の一例）
１６  リニアレギュレータ（負電圧側リニアレギュレータの一例）
【図１】
2018125928.tif 000003
【図２】
2018125928.tif 000004
【図３】
2018125928.tif 000005
【図４】
2018125928.tif 000006